(57)【要約】  入力同期信号（Ｓ１０）が出現した時に入力パルス（ＴＳ）の前縁および後縁を駆動出力（ＴＤ）に直接伝達し、入力同期パルスが発生していない時に自励信号（Ｓ２０’）を生成するタイミング発生器および駆動信号（Ｓ１０）生成方法。
2007500471.tif 000002
【特許請求の範囲】
【請求項１】
１つ以上の第１の種類のタイミングパルスを含む第１の区間と前記第１の種類のタイミングパルスが存在しない第２の区間とを有する同期信号を受ける入力と、
出力を生成し、駆動信号を提供する手段とを有し、前記駆動信号は、前記第１の区間で第２の種類のタイミングパルスの前縁と後縁が前記第１の種類のタイミングパルスの前縁と後縁に実質的に同期し、前記第２の区間で前記駆動信号が前記第１の種類のタイミングパルスより周波数が低くパルス幅が短い、１つ以上の前記第２の種類のタイミングパルスを有する、
駆動信号生成装置。
【請求項２】
前記同期信号は水平同期信号であり前記駆動信号は水平駆動信号である、請求項１記載の装置。
【請求項３】
前記水平同期信号及び前記水平駆動信号はＮＴＳＣ信号である、請求項２記載の装置。
【請求項４】
前記水平同期信号及び前記水平駆動信号はＮＴＳＣ信号ではない、請求項２記載の装置。
【請求項５】
前記装置の前記入力と前記出力の間に配置された複数の単安定マルチバイブレータを更に有し、前記単安定マルチバイブレータは、第１の単安定マルチバイブレータの出力は第２の単安定マルチバイブレータの入力に接続され、前記第２の単安定マルチバイブレータの出力は前記第１の単安定マルチバイブレータの入力に接続される環状の構成を有し、前記入力同期信号は前記第１の単安定マルチバイブレータの第２の入力に接続され前記出力駆動信号は前記第１の単安定マルチバイブレータの出力において引き出される、
請求項１記載の装置。
【請求項６】
前記第１の単安定マルチバイブレータの前記第１の入力はリセット入力である、
請求項５記載の装置。
【請求項７】
前記第２の単安定マルチバイブレータは、前記入力同期信号のパルス幅より短い所定のパルス間隔を示し、
前記第１の単安定マルチバイブレータのパルス幅と前記第２の単安定マルチバイブレータのパルス幅との和は前記入力同期信号の周期より大きい、
請求項５記載の装置。
【請求項８】
前記複数の単安定マルチバイブレータの少なくとも１つは、再トリガ可能な種類である、
請求項５記載の装置。
【請求項９】
１つ以上の同期パルスの存在に対し同期信号を調べるステップと、
前記同期パルスが存在する場合に前記１つ以上の同期パルスを駆動パルスとして出力するステップと、
前記同期パルスが存在しない場合に自励発振器に１つ以上の駆動パルスを出力させることを可能にする
ステップとを有する、駆動信号生成方法。
【請求項１０】
前記自励発振器の出力は同期パルスより短い間隔のパルスを含み、前記自励発振器の出力の繰り返し周波数は前記同期パルスの繰り返し周波数より低い、
請求項９記載の方法。
【請求項１１】
前記同期信号は水平同期信号であり前記駆動信号は水平駆動信号である、
請求項９記載の方法。
【請求項１２】
前記同期信号および前記駆動信号はＮＴＳＣ信号である、
請求項１１記載の方法。
【請求項１３】
前記同期信号および前記駆動信号はＮＴＳＣ信号でない、
請求項１１記載の方法。
【請求項１４】
入力同期信号が存在しない場合に駆動信号を生成する発振手段と、
同期パルスが存在する場合に前記入力同期信号から前記駆動信号へ前記同期パルスを送信する手段と、
前記同期パルスが存在する場合に前記発振手段を無効にする手段
とを有する、駆動信号生成方法。
【請求項１５】
前記入力同期信号は水平同期信号であり前記駆動信号は水平駆動信号である、
請求項１４記載の駆動信号生成方法。
【請求項１６】
前記同期信号および前記駆動信号はＮＴＳＣ信号である、
請求項１５記載の駆動信号生成方法。
【請求項１７】
前記同期信号および前記駆動信号はＮＴＳＣ信号でない、
請求項１５記載の駆動信号生成方法。
【発明の詳細な説明】
【技術分野】
【０００１】
本発明はテレビ装置における駆動信号の提供に関連する。
【０００２】
本出願は２００３年７月２８日に出願された米国仮出願Ｎｏ．６０／４９０，５７３の利益を請求する。前記仮出願の全体が本出願に関する参照として本明細書に組み込まれる。
【背景技術】
【０００３】
テレビ信号処理において、多くの場合、水平駆動信号が存在しない間に水平時間軸信号が種々の受信機能のために提供されることが要求される。水平駆動信号は、垂直期間にブランクとなる水平同期信号と異なり、垂直期間で連続した水平時間軸信号と定義される。映像信号が受信された時は、受信された水平同期信号に同期した水平駆動信号を生成する必要がある。信号が受信されない時は、水平駆動信号に極めて近い周波数およびパルス幅の水平時間軸信号を提供する必要がある。従来は水平時間軸信号を生成する前記機能は、フェーズロックドループまたは同期発振器の何れかを用いて実現されていた。前記各手法は、映像入力が受信された時の同期水平駆動信号および自励水平時間軸信号を提供する前記目的を満足することができる。その他の点では、しかしながら、各手法は有意に否定的な特性を有する。前記フェーズロックドループはそのコストおよび複雑さと共にその位相ジッタの可能性に苦しんでいる。同期発振器は通常、ブロッキング発振器または同期非安定マルチバイブレータの何れかであるが、両者ともそれらが水平同期信号に同期している時に、出力水平時間軸信号のパルス幅が入力水平同期信号よりも前記発振器の構成要素により決定されるという問題に苦しんでいる。前記特徴により、水平駆動信号パルス幅に依存する事象は、温度と要素の老朽化に応じて変化する可能性がある。フェーズロックドループと同期発振器による手法の両者に伴う更なる問題は、出力水平時間軸信号が前記受信水平同期信号の等価パルスを含まないことである。
【０００４】
本発明は、映像信号が存在しない時および受信映像信号の垂直期間に水平同期信号が存在しない時に、水平駆動信号を近似する水平時間軸信号を提供する回路および方法を供する。本発明はまた、前記水平同期信号が存在する期間中に入力水平同期信号の通過点を供し、これによりタイミング及びパルス幅の不確定要素を排除する。
【発明の開示】
【課題を解決するための手段】
【０００５】
本発明のある実施例は、駆動信号生成装置である。前記装置は、１つ以上の第１の種類のタイミングパルスを含む第１の区間と前記第１の種類のタイミングパルスが存在しない第２の区間とを有する同期信号を受ける入力と、出力駆動信号を生成する手段とを有する。前記駆動信号は１つ以上の第２の種類のタイミングパルスを含む。前記第２の種類のタイミングパルスは実質的に、前記第１の区間で前記第１の種類のタイミングパルスの前縁および後縁と同期し、第２の区間で前記第１の種類のタイミングパルスより周波数が低くパルス幅が短い。前記同期信号は水平同期信号であってよく、前記駆動信号は水平駆動信号であってよい。さらに前記水平同期信号および水平駆動信号はＮＴＳＣ（全国テレビジョン方式委員会）信号であってよい。前記装置は前記入力と出力の間に配置された複数の単安定マルチバイブレータを有してもよい。前記単安定マルチバイブレータは環状に配置され、第１の単安定マルチバイブレータの出力は第２の単安定マルチバイブレータの入力に接続され、第２の単安定マルチバイブレータの出力は第１の単安定マルチバイブレータの入力に接続される。ここで前記入力同期信号は第１の単安定マルチバイブレータの第２の入力に接続され、前記出力駆動信号は第１の単安定マルチバイブレータの出力から引き出される。前記第１の単安定マルチバイブレータの前記第１の出力はリセット入力である。前記実施例では、前記第２の単安定マルチバイブレータは前記入力同期信号のパルス幅より短い所定のパルス幅を示し、前記第１および第２の単安定マルチバイブレータのパルス幅の和は前記入力同期信号の周期より長い。複数の単安定マルチバイブレータの少なくとも１つは、再トリガ可能な種類である。
【０００６】
本発明の別の実施例は、駆動信号生成方法である。前記方法は、同期信号を検査し１つ以上の第１の種類のパルスの有無を調べるステップと、前記第１の種類のパルスが存在する場合は前記第１の種類のパルスを駆動パルスとして出力するステップと、前記第１の種類のパルスが存在しない場合は自励発振器が１つ以上の第２の種類のパルスを出力することを可能にするステップとを有する。
【０００７】
本発明の更に別の実施例は、入力同期信号が存在しない場合に駆動信号を生成する発振器を有する駆動信号生成方法、前記入力同期信号が存在する場合に同期パルスを前記入力同期信号から前記駆動信号へ送信する方法、および前記同期パルスが存在する場合に前記発振器を無効にする方法である。
【実施例】
【０００８】
本発明の特徴と利点は、一例として与えられる以下の説明から明らかになるだろう。
【０００９】
以下に示す図の中で、１つ以上の図の中の類似する参照番号は同一のまたは類似の特徴を示す。
【００１０】
先ず図１を参照すると、タイミング発生器１０は選択スイッチ８を通じて１つ以上のソースから入力信号Ｓ１０を受信する。タイミング発生器１０の出力Ｓ２０はＡＤコンバータ５０への入力である水平駆動信号に適用される。ここで他のクロック信号が生成され、選択された映像入力信号Ｓ６０は更に処理するためにデジタル化される。受信機能はＩ２Ｃバス７０により制御され、前記バスはデータ信号Ｓ５０およびクロック信号Ｓ４０を含む。内部のＩ２Ｃ機能は水平駆動信号Ｓ２０から次々に生成されるピクセルクロックＳ３０により制御されてもよい。水平駆動信号Ｓ２０が存在しない時、Ｉ２Ｃ発生器１００は「ロックアップ」し受信機能のケースコントロールが失われる。本発明は、利用可能な駆動信号がＡＤコンバータ５０への入力水平駆動信号に常に存在することを保証する、簡単でコスト効率が良いソリューションを提供する。
【００１１】
本発明の好適な実施の形態は、しばしばワンショットマルチバイブレータ、ワンショットまたは単に単安定マルチバイブレータと呼ばれる、２つの単安定マルチバイブレータを利用する。単安定マルチバイブレータは、１つの安定および１つの擬似安定状態を有する回路で、トリガを与えられて擬似安定状態へ変化できるが、所定の時間間隔の後に安定状態へ戻る。前記所定の時間間隔は、主としてＲＣタイミング回路の値により決定される。再トリガ可能な単安定マルチバイブレータは、単安定装置の特殊な種類であり、先に発生したトリガーイベントにより初期化された前記所定の時間間隔の間にトリガーイベントが発生した場合、前記所定の時間間隔は再初期化される。いくつかの単安定マルチバイブレータに含まれる別の特徴は、リセット入力の特徴である。リセットのアクティブ化は、（短い伝播遅延内で）直ちに出力を静穏状態にする。本発明の好適な実施の形態に用いられる単安定マルチバイブレータの動作を定義する真理値表は、図３に示される。
【００１２】
図２を参照すると、再トリガ可能な単安定マルチバイブレータである単安定マルチバイブレータ１１０からの信号Ｓ１６は単安定マルチバイブレータ１２０のＢ入力１９に接続され、信号Ｓ１４は単安定マルチバイブレータ１２０のＱ出力１４から単安定マルチバイブレータ１１０の（Ａの反転）入力１６に接続される。単安定マルチバイブレータ１２０はリセット機能を有する再トリガ可能な単安定マルチバイブレータで、単安定マルチバイブレータ１１０はリセット機能を必要としない再トリガ可能な単安定マルチバイブレータである。単安定マルチバイブレータ１２０へ入力される信号Ｓ１２は、スイッチ８により選択される水平同期信号Ｓ１０の変形である水平同期信号の間、反転つまり論理０の状態である。
【００１３】
図３の真理値表から分かるように、単安定マルチバイブレータ１２０の（リセットの反転）入力が論理０の時、単安定マルチバイブレータ１２０のＱ出力も論理０である。単安定マルチバイブレータ１２０への（リセットの反転）入力が論理１かつＢ入力が論理０の状態から論理１の状態へ遷移する時、論理１のパルスが単安定マルチバイブレータ１２０のＱ出力で発生する。単安定マルチバイブレータ１１０への（Ａの反転）入力において信号が論理１から論理０の状態へ遷移する時、論理０のパルスが（Ｑの反転）出力で発生する。
【００１４】
図４のタイミング図を見ると、信号Ｓ１２が存在し時間ＴＳの間に論理０のパルスを有し、単安定マルチバイブレータ１１０のパルス幅Ｔ１４０が水平同期信号パルスＴＳの幅より短い場合、信号Ｓ１４およびＳ２０の前縁と後縁は共に入力される水平信号Ｓ１２の前縁と後縁に同期する。信号Ｓ１２がパルス幅Ｔ１４０の期間より長く論理０の状態に保たれる結果、水平駆動信号Ｓ２０は最小限の伝搬遅延のみで信号Ｓ１２（反転の状態であっても）に「続く」。前記好適な実施の形態で用いられる前記単安定マルチバイブレータの標準的な伝搬遅延は、約２０ナノ秒である。遅延がこれより大きくても、当然実用的であれば、実質的に同期するだろう。
【００１５】
図５は水平同期入力に水平タイミングパルスが存在しない場合を示す。これはチャネル変更の間または水平同期信号の垂直期間の間のように、入力の除去の結果として起こり得る。図５では、信号Ｓ１２’は論理１であり、単安定マルチバイブレータ１１０および単安定マルチバイブレータ１２０の組み合わせが自励発振器として動作することを可能にする。このモードにおける動作は、信号Ｓ１６’の立ち上がりが単安定マルチバイブレータ１２０のＱ出力１４からのＳ１４’上へパルス出力を発生する時から開始すると見なされる。ここで単安定マルチバイブレータ１２０のＱ出力１４は、単安定マルチバイブレータ１１０の（Ａの反転）入力１６へ接続される。単安定マルチバイブレータ１１０の（Ａの反転）入力１６の立ち下がりは、単安定マルチバイブレータ１１０の（Ｑの反転）出力１８において信号Ｓ１６’上に負のパルスを発生させ、立ち上がりの後縁は別の周期を再発生させる。この結果、単安定マルチバイブレータ１２０の（Ｑの反転）出力１２において出力された波形である信号Ｓ２０’を得る。ここで（Ｑの反転）出力１２は水平駆動信号より僅かに低い周波数１／ＴＨ’、および水平同期信号のパルス幅ＴＳより僅かに狭いパルス幅Ｔ１４０を有する。この発振器の発振周波数が水平周波数より低くパルス幅が水平同期信号より短い限り、水平同期信号が再び適用された時に、発振器のループが開始され、同期信号発生回路の出力は正確にＨ入力信号の「通過点」になるだろう。この発振器のループの中断と入力信号の通過点は、全ての場合において出力が発振器の構成要素により決定され、同期入力は発振器の周波数を同期させるのみである同期発振器から、本発明を有意に区別する。
【００１６】
図６に示されるように、リセットを有する二重の再トリガ可能な単安定マルチバイブレータであるＩＣ（集積回路）１８０を用いて、本発明のある実施例を実施することが可能である。前記集積回路の１つの例は、多数の会社により生産されている業界標準部品である７４ＨＣ１２３Ａである。図６に示された回路はリセットを有する二重の再トリガ可能な単安定マルチバイブレータであるＩＣ１８０を含む。ここでＩＣ１８０は、インバーター１６０ＩＣであるＮＣ７ＳＺ０４を通じて入力同期信号Ｓ１０を供給されている。反転された水平同期信号Ｓ１２は、ＩＣ１８０内に含まれる単安定マルチバイブレータ１２０の（Ｒの反転）入力１５に接続される。水平駆動信号Ｓ２０はＩＣ１８０からＩＣ１８０の（Ｑの反転）出力１２において出力される。本発明のこの実施例では、水平レートは通常のＮＴＳＣ（全国テレビジョン方式委員会）テレビ信号の水平レートの２倍であり、そのため単安定マルチバイブレータ１２０のタイミングコンポーネントに相当するタイミングコンポーネント１３０（点線で囲み示す）は、約３５マイクロ秒のパルス幅を生成するために選択される。単安定マルチバイブレータ１１０のタイミングコンポーネントに相当するタイミング回路１４０（点線で囲み示す）は、約１マイクロ秒のパルス幅を生成するために選択される。従って、単安定マルチバイブレータ１１０のパルス幅Ｔ１４０は、この２Ｈシステムにおいて水平同期信号のパルス幅ＴＳの期間である約１．２マイクロ秒より短いことという基準を満たす。一般的に、単安定マルチバイブレータ１１０のパルス幅Ｔ１４０は、入力される同期のパルス幅ＴＳより短くなければならない。また単安定マルチバイブレータ１１０のパルス幅Ｔ１４０と単安定マルチバイブレータ１２０のパルス幅Ｔ１３０の和は、入力される同期の周期ＴＨより大きくなければならない。
【００１７】
図７は、選択スイッチ８により選択されてもよい信号の種々の構成を説明している。信号Ｓ９０は輝度信号または入力されるＹ／Ｐｒ／ＰｂコンポーネントのＹコンポーネントを示す。また水平同期信号パルスは、垂直期間または入力信号が存在しない時はどちらも存在しなくてよいことを示す。信号Ｓ８０は信号がＭＰＥＧデコーダから出力される場合を示す。信号Ｓ８０は既に水平駆動信号であり、ＭＰＥＧデコーダが選択スイッチ８により選択されている時は常に存在する。信号Ｓ１００は、ＤＶＩ（デジタルビデオインターフェース）源からの信号を示す。ここでＤＶＩ源はそれ自体が水平駆動信号を提供する。つまりＤＶＩ源は垂直期間の間に水平同期信号の中断を有さないが、入力信号が除去された時は駆動のない状態に陥る場合がある。
【００１８】
図８は、垂直期間の間の信号Ｓ９０の拡張された図を示す。また、信号Ｓ９０の垂直期間の間で、リセットに制御される期間ＴＲおよびマルチバイブレータに制御される自励発振の期間ＴＭの間に、水平同期信号が信号Ｓ９０中に存在する場合に、水平同期信号の通過点を提供するという、信号Ｓ２０の特徴を示す。
【００１９】
図９は、本発明のある実施例のフロー図である。この方法は、判断ブロック３１０において同期パルスが存在するかを判定するために入力同期信号Ｓ１０を調べ、処理ブロック３２０において入力される同期パルスを直接出力駆動信号へ送信し、または処理ブロック３３０において自励発振器に駆動信号を出力できるようにするステップを有する。
【００２０】
本発明を好適な実施の形態を用いて説明したが、請求の範囲に述べられた本発明の精神と範囲を逸脱することなく、前記実施例に種々の変更がされてもよいことが理解される。
【図面の簡単な説明】
【００２１】
【図１】本発明を実施したテレビ受信機の一部のブロック図である。
【図２】タイミング発生器１０のブロック図である。
【図３】図２に示す２つの単安定マルチバイブレータの真理値表である。
【図４】水平同期信号入力が存在する場合のタイミング発生器１０の信号の相対タイミングを示すタイミング図である。
【図５】入力信号が存在しない場合のタイミング発生器１０の信号の相対タイミングを示すタイミング図である。
【図６】本発明の１つの実施例の方法である。
【図７】タイミング発生器１０に他の入力信号がある場合のタイミング図である。
【図８】水平同期信号が垂直期間で発生する場合の水平同期信号の拡張区間、および選択スイッチ８が信号Ｓ９０をタイミング発生器の入力９に接続した場合に相当するタイミング発生器の出力を示すタイミング図である。
【図９】本発明に相当する駆動信号生成方法のフローチャートである。
【図１】
2007500471.tif 000003
【図２】
2007500471.tif 000004
【図３】
2007500471.tif 000005
【図４】
2007500471.tif 000006
【図５】
2007500471.tif 000007
【図６】
2007500471.tif 000008
【図７】
2007500471.tif 000009
【図８】
2007500471.tif 000010
【図９】
2007500471.tif 000011
【国際調査報告】
2007500471.tif 000012
2007500471.tif 000013